(57)【特許請求の範囲】
【請求項１】
光を透過可能な操作部を各々有する複数の鍵からなる鍵盤と、
前記複数の各鍵がそれらの基端部を支点として前記各鍵の操作部が押鍵操作により揺動可能なように前記複数の鍵を支持する支持フレームと、
前記鍵の自由端部の下方において全鍵幅に亘って前記支持フレームに設けられた目隠し部と、
前記支持フレームの前記目隠し部に近接して前記支持フレームに取り付けられた発光ユニットとを備え、
前記発光ユニットは、発光部取付基板と、前記各鍵に対応し前記目隠し部より後方において該目隠し部に対して同高以上の位置において前記発光部取付基板に設けられ、対応する鍵を下方から照射する複数の発光部と、前記各発光部に対応して設けられた複数の集光部とを有して構成され、
前記複数の各集光部は、対応する発光部に近接して前記対応する発光部の前方に設けられた前方壁を有し、
前記各集光部の前方壁は、対応する発光部による対応する鍵の前後方向における照射範囲を、前記対応する鍵の操作部の所定位置に規制すると共に、奏者からみて、前記対応する発光部が対応する集光部の前方壁によって隠れるように配設されたことを特徴とする鍵盤装置。
【請求項２】
前記複数の発光部のうち、最低音鍵に対応する発光部に近接して該発光部の低音域側に設けられた左方壁と、最高音鍵に対応する発光部に近接して該発光部の高音域側に設けられた右方壁とを備え、前記左方壁及び前記右方壁は、装置左右方向からみて、前記最低音鍵、最高音鍵に対応する両発光部が、前記左方壁、前記右方壁によってそれぞれ隠れるように配設されたことを特徴とする請求項１記載の鍵盤装置。
【請求項３】
光を透過可能な操作部を各々有する複数の鍵からなる鍵盤と、
前記複数の各鍵がそれらの基端部を支点として前記各鍵の操作部が押鍵操作により揺動可能なように前記複数の鍵を支持する支持フレームと、
前記鍵の自由端部の下方において前記支持フレームに設けられた目隠し部と、
前記各鍵に対応し前記目隠し部より後方において該目隠し部に対して同高以上の位置に設けられ、対応する鍵を下方から照射する複数の発光部と、
前記複数の各発光部の周囲を囲んで設けられた複数の集光部とを備え、
前記複数の各集光部の上端部を、前方から後方に向かって下方に傾斜するように切り欠くことで、前記集光部の前部によって、前記各発光部による前記各鍵の前後方向における照射範囲が前記各鍵の操作部の所定位置に規制されると共に、奏者からみて、前記各発光部が前記集光部の前部によって隠れるように構成したことを特徴とする鍵盤装置。
【発明の詳細な説明】
【０００１】
【発明の属する技術の分野】
本発明は、鍵を下方から照射し、鍵を視認させて演奏ガイド等を実現するようにした鍵盤装置に関する。
【０００２】
【従来の技術】
従来、鍵を光透過性部材で構成すると共に、鍵操作部の下面を照射するためのＬＥＤ等の発光部を設け、演奏ガイド等を実現するようにした鍵盤装置が知られている。この装置では、少ない光量で発光による鍵の視認効果を最大限に発揮させる観点からは、発光部をなるべく鍵操作部の下面に近い位置に配設するのが望ましいが、鍵操作部は上下方向のストロークが大きい部位であるので、極端に近接配置することはできない。そのため、発光部の周囲を壁で囲んで照射光を反射させ所定方向に集める集光部を設けることがある。例えば、従来、口棒部に発光部及び集光部を設けた鍵盤装置も知られている。
【０００３】
【発明が解決しようとする課題】
しかしながら、上記従来の、口棒部に発光部及び集光部を設けた鍵盤装置では、口棒部が一般に補強だけでなく装置内部を目隠しする機能を有することから、鍵自由端部との間隔はそれほど大きくない。従って、口棒部上の集光部を構成する壁はあまり高く形成できないという状況があり、集光機能が弱いため、発光部からの光が発散して発光による鍵の視認性があまり良好でないという問題があった。また、上記状況によって、集光部を構成する壁が低いことから、奏者側からみて、発光部そのものが見えてしまう場合があり、見栄えにも悪影響を及ぼすという問題があった。
【０００４】
本発明は上記従来技術の問題を解決するためになされたものであり、その目的は、少ない光量で、発光による鍵の視認性を向上させると共に、発光部を目立ちにくくして装置の外観の悪化を防止することができる鍵盤装置を提供することにある。
【０００５】
【課題を解決するための手段】
上記目的を達成するために本発明の請求項１の鍵盤装置は、光を透過可能な操作部を各々有する複数の鍵からなる鍵盤（１）と、前記複数の各鍵がそれらの基端部を支点として前記各鍵の操作部が押鍵操作により揺動可能なように前記複数の鍵を支持する支持フレーム（２０）と、前記鍵の自由端部の下方において全鍵幅に亘って前記支持フレームに設けられた目隠し部と、前記支持フレームの前記目隠し部に近接して前記支持フレームに取り付けられた発光ユニットとを備え、前記発光ユニットは、発光部取付基板と、前記各鍵に対応し前記目隠し部より後方において該目隠し部に対して同高以上の位置において前記発光部取付基板に設けられ、対応する鍵を下方から照射する複数の発光部（３３）と、前記各発光部に対応して設けられた複数の集光部とを有して構成され、前記複数の各集光部は、対応する発光部に近接して前記対応する発光部の前方に設けられた前方壁（３２Ｆ）を有し、前記各集光部の前方壁は、対応する発光部による対応する鍵の前後方向における照射範囲を、前記対応する鍵の操作部の所定位置（Ｐ）に規制すると共に、奏者からみて、前記対応する発光部が対応する集光部の前方壁によって隠れるように配設されたことを特徴とする。
【０００６】
この構成によれば、複数の発光部により対応する鍵が下方から照射され、各鍵の操作部が照射光を透過して鍵が明るく視認される。各発光部に近接し、各発光部の前方に設けられた前方壁により、各発光部による各鍵の前後方向における照射範囲が各鍵の操作部の所定位置に規制されるので、鍵の操作部において照射されている部分とそうでない部分との境目が明確となり、発光に対応する鍵が明確に視認される。また、奏者からみて、各発光部が前方壁によって隠れるので、奏者からの見栄えの悪化が防止される。よって、少ない光量で、発光による鍵の視認性を向上させると共に、発光部を目立ちにくくして装置の外観の悪化を防止することができる。
【０００７】
また、請求項２の鍵盤装置は、上記請求項１記載の構成において、前記複数の発光部のうち、最低音鍵に対応する発光部に近接して該発光部の低音域側に設けられた左方壁（３２Ｌ）と、最高音鍵に対応する発光部に近接して該発光部の高音域側に設けられた右方壁（３２Ｒ）とを備え、前記左方壁及び前記右方壁は、装置左右方向からみて、前記最低音鍵、最高音鍵に対応する両発光部が、前記左方壁、前記右方壁によってそれぞれ隠れるように配設されたことを特徴とする。
【０００８】
この構成によれば、複数の発光部のうち、最低音鍵に対応する発光部に近接して該発光部の低音域側に設けられた左方壁と、最高音鍵に対応する発光部に近接して該発光部の高音域側に設けられた右方壁とによって、最低音鍵、最高音鍵に対応する両発光部がそれぞれ隠れるので、装置左右方向からの見栄えの悪化を防止することができる。
【０００９】
上記目的を達成するために本発明の請求項３の鍵盤装置は、光を透過可能な操作部を各々有する複数の鍵からなる鍵盤と、前記複数の各鍵がそれらの基端部を支点として前記各鍵の操作部が押鍵操作により揺動可能なように前記複数の鍵を支持する支持フレームと、前記鍵の自由端部の下方において前記支持フレームに設けられた目隠し部（２０Ａ）と、前記各鍵に対応し前記目隠し部より後方において該目隠し部に対して同高以上の位置に設けられ、対応する鍵を下方から照射する複数の発光部（３３）と、前記複数の各発光部の周囲を囲んで設けられた複数の集光部（３２）とを備え、前記複数の各集光部の上端部を、前方から後方に向かって下方に傾斜するように切り欠くことで、前記集光部の前部（３２Ｆ）によって、前記各発光部による前記各鍵の前後方向における照射範囲が前記各鍵の操作部の所定位置（Ｐ）に規制されると共に、奏者からみて、前記各発光部が前記集光部の前部によって隠れるように構成したことを特徴とする。
【００１０】
この構成によれば、請求項１と同様に、鍵が明るく視認される。また、複数の集光部の上端部を、前方から後方に向かって下方に傾斜するように切り欠くことで、各発光部による各鍵の前後方向における照射範囲が各鍵の操作部の所定位置に規制され、請求項１と同様に、発光に対応する鍵の視認が明確になる。さらに、奏者からの見栄えの悪化防止、製造容易等の効果を奏する。よって、簡単な構成にて、少ない光量で、発光による鍵の視認性を向上させると共に、発光部を目立ちにくくして装置の外観の悪化を防止することができる。
【００１１】
なお、請求項３において、前記最低音鍵、最高音鍵に対応する両発光部が、前記左方壁、前記右方壁によってそれぞれ隠れるように構成してもよい。これにより、発光部が左方壁、右方壁によって隠れるので、装置左右方向からの見栄えの悪化を防止することができる。また、左方壁、右方壁を残して集光部を切り欠き形成するので、製造が容易である。
【００１４】
【発明の実施の形態】
以下、本発明の実施の形態を図面を参照して説明する。
【００１５】
図１は、本実施の形態に係る鍵盤装置の構成を示す部分平面図である。同図には、本装置の右前部が表されている。図２は、図１のＡ−Ａ線に沿う断面図である。
【００１６】
本鍵盤装置は、鍵ユニット１（鍵盤）を下ケース２０（支持フレーム）に装着（以下「鍵装着」という）し、さらに不図示の上ケースを下ケース２０に接合して成る。図１では、後述する図６〜図８に示す状態を経て鍵装着がされた後の、上ケースを取り外した状態が示され、鍵ユニット１及び下ケース２０は仮想線で表されている。図６では、鍵装着前における鍵ユニット１及び下ケース２０等が示されている。本装置の構成の説明には図６も用いる。なお、以下、本装置の奏者側を前方と称し、奏者からみた装置の右側を右方と称する。
【００１７】
図６において、鍵ユニット１は、黒鍵ユニット１ａと、２分割された白鍵ユニット１ｂ及び白鍵ユニット１ｃとをそれらの基端部にて互いに積層して成る３層構造となっており、例えば、１オクターブ毎に構成される。鍵ユニット１は、押鍵操作される鍵本体としての白鍵２、黒鍵３が、ヒンジ部４を介して共通基端部５に各々上下方向へ揺動自在に支持されて構成される。
【００１８】
白鍵２、黒鍵３はいずれも光透過部材で構成され、後述するＬＥＤ３３（発光部）、２４の照射光を主に各々の操作部２ｃ、３ｃ（自由端部）の部分で透過して、奏者に発光が視認されるようになっている。
【００１９】
なお、白鍵２、黒鍵３の各操作部２ｃ、３ｃは、光を透過可能であれば、透明、半透明であってもよい。また、各操作部２ｃ、３ｃは、透明性を有する樹脂に、顔料及び／又は光拡散性を有する光散乱剤を含有させ、鍵スイッチ等、鍵の下面にあるものが見えない状態であって、鍵下方からの照射光によって鍵照射部が照光するように構成してもよい。
【００２０】
白鍵２及び黒鍵３には、白鍵アクチュエータ２ａ及び黒鍵アクチュエータ３ａが各々設けられている。白鍵アクチュエータ２ａは、白鍵２と一体に形成され、白鍵被ガイド片７の後方において白鍵２の天井面から下方に突設される。白鍵アクチュエータ２ａの下面は白鍵２の下端と略面一に平坦に形成されている。黒鍵アクチュエータ３ａは、黒鍵被ガイド片８の後方において黒鍵３と一体に形成され、その下面が黒鍵３の下端と略面一に平坦に形成されている。
【００２１】
白、黒鍵被ガイド片７、８の下端部には、後方に延出した白鍵係止片７ａ及び黒鍵係止片８ａが各々形成される。各係止片７ａ、８ａは、非押鍵時にその白鍵係止片上端部７ｃ及び黒鍵係止片上端部８ｃが後述する上限ストッパ部材１３と当接する。
【００２２】
鍵ユニット１のヒンジ部４には、特開平７−９２９６３号公報、特開平１０−２４０２６０号公報で開示されるような、いわゆる幅広タイプを採用している。すなわち、鍵２、３の各ヒンジ部４は、各鍵２、３の後端における鍵幅よりも広く、且つその一部が隣り合う鍵のヒンジ部と互いに重なり合っている。これにより、押離鍵操作時のキーガイドがなくとも横振れやねじれを起こすことなく押鍵することができる。従って、本鍵盤装置では、上記キーガイドを設けていない。
【００２３】
黒鍵３の鍵本体の下部には、黒鍵３の後端から黒鍵アクチュエータ３ａの後端に亘って凹部３ｄ（図６参照）が形成されている。また、白鍵２の操作部２ｃは、図示はしないが、鍵並び方向に平行な断面がコ字状となっており、後述する集光部３２が遊嵌可能な幅を有している。
【００２４】
共通基端部５の後端には、弾性片６が設けられている。弾性片６は、黒鍵３と一体に形成され、共通基端部５の後端から後方へ突出した後、下方に屈曲している。弾性片６の下端部には、後方に突起したつめ６ａが弾性片６と一体に形成されている。共通基端部５にはさらに、鍵ユニット１の下ケース２０に対する取り付け用のネジ孔１９が設けられる（図１参照）。
【００２５】
下ケース２０は、合成樹脂で構成され、図６に示すように、前端部は口棒部２０Ａ（目隠し部）となっている。口棒部２０Ａは、鍵並び方向に全鍵幅に亘って下ケース２０と一体に形成される。さらに口棒部２０Ａの上面２０Ａａには、図７で後述するように、鍵装着のための鍵ユニット１の後方へのスライド動作時に白鍵２の白鍵前端部下部２ｂが当接し、この白鍵前端部下部２ｂを介して鍵ユニット１（特に前半部）がスライド自在に支持される。
【００２６】
下ケース２０の下ケース前部２０Ｂには、目隠し板２１が突設されている。目隠し板２１は、鍵並び方向に略全鍵幅に亘って下ケース２０と一体に、且つ口棒部２０Ａとほぼ同高に形成されている。従って、目隠し板２１は、下ケース２０の剛性を強化する役割を果たす。さらに、目隠し板２１は、それより後方の装置内部（鍵盤下方）を奏者側から目隠しする。例えば、後述する押鍵ストッパ１１及び押鍵時に鍵ユニット１に当接する鍵２、３の白鍵下端７ｂ、黒鍵下端８ｂも目隠し板２１に隠れて見えない。
【００２７】
口棒部２０Ａと目隠し板２１との間には、取付用ボス２２が突設され、取付用ボス２２には発光ユニット３０が取り付けられている。取付用ボス２２及び発光ユニット３０の詳細については後述する。
【００２８】
下ケース２０の下ケース前部２０Ｂにおける目隠し板２１より後方には、押鍵ストッパ１１が設けられている。押鍵ストッパ１１は、鍵並び方向に全鍵幅に亘って下ケース前部２０Ｂ上に固着されており、押鍵時に白、黒鍵被ガイド片７、８の白鍵下端７ｂ及び黒鍵下端８ｂに当接して下限ストッパとしての役割を果たす。
【００２９】
下ケース２０の下ケース中央部２０Ｃには、基板取付用ボス１７（１７Ａ、１７Ｂ）が突設され、基板取付用ボス１７には、スイッチ基板１２がネジ１５で固定されている。スイッチ基板１２上には、鍵スイッチ１４が各鍵に対応して設けられる（図１、図２、図６参照）。
【００３０】
鍵スイッチ１４は、スイッチ基板１２上において、鍵装着終了後に白鍵アクチュエータ２ａ及び黒鍵アクチュエータ３ａに対向する位置に不図示のラバーシート等を介して配設される。鍵スイッチ１４の上端部には、弾性を有するゴム等から成る弾性膨出部１４ａが設けられている。弾性膨出部１４ａは、非押鍵時には上記各アクチュエータ２ａ、３ａに軽く当接しており、押鍵時には各アクチュエータ２ａ、３ａからの押圧力により変形する。鍵スイッチ１４は、不図示の可動接点及び固定接点の接触により押鍵動作を検出する。
【００３１】
図１、図２、図６等に示すように、下ケース中央部２０Ｃの下ケース後部２０Ｄ寄りには、ガイドリブ１６が突設される。ガイドリブ１６は、下ケース後部２０Ｄより前方において下ケース２０と一体に形成される。ガイドリブ１６は、鍵装着動作の開始から終了直前までの間は、鍵ユニット１のヒンジ部４の前方の当接部２３と当接し、鍵装着終了後には黒鍵３の凹部３ｄに収容され得る位置に配置される。
【００３２】
ガイドリブ１６は１つの（１オクターブ分の）鍵ユニット１につき２個設けられる。ガイドリブ１６の高さは、押鍵時に黒鍵３の凹部３ｄの天井面と干渉しない範囲に設定される。ガイドリブ１６は、鍵装着のための鍵ユニット１の後方へのスライド動作時に、その上端が当接部２３と当接し、この当接部２３を介して鍵ユニット１（特に後半部）をスライド自在に支持する。
【００３３】
後述するように、ガイドリブ１６は、前述した口棒部２０Ａの上面２０Ａａと協働して鍵ユニット１を支持し、鍵装着終了直前までの間、白、黒鍵アクチュエータ２ａ、３ａと弾性膨出部１４ａとの当接を回避すると共に、鍵ユニット１を鍵装着位置に適切に誘導する。また、鍵装着行程において、発光ユニット３０の各集光部３２は対応する白鍵２のコ字状部分に余裕をもって嵌入して白鍵２に干渉しないような位置に配置されており、鍵装着動作を妨げない。
【００３４】
下ケース後部２０Ｄには、前レール部２０ｆ及び後レール部２０ｇが設けられている。前レール部２０ｆ及び後レール部２０ｇは、いずれも下ケース２０と一体に突条状に形成され、下ケース後部２０Ｄ上おいて鍵並び方向に全鍵幅に亘って設けられる。鍵装着終了時は、共通基端部５が前レール部２０ｆ及び後レール部２０ｇ間に挟入嵌合される。これと共に、弾性片６が下ケース後部２０Ｄ側に設けられた不図示のつめ用孔に挿入され、つめ６ａが該つめ用孔に係止される。
【００３５】
これにより、鍵ユニット１が共通基端部５を介して下ケース後部２０Ｄの上面に固定的に裁置され、なおかつ鍵ユニット１が基端部５の移動に伴って鍵並び方向に移動自在となる。鍵装着後に孔１９を介して共通基端部５を下ケース後部２０Ｄにネジ止めすることにより、鍵ユニット１の鍵並び方向の動きが規制される。
【００３６】
図３は、本鍵盤装置の部分正面図である。ただし、下ケース２０は、取付用ボス２２のすぐ前方で切った断面で表されている。同図には、本装置の図１に対応する右前部が表されている。図４は、発光ユニット３０の部分平面図（同図（ａ））及び部分正面図（同図（ｂ））である。
【００３７】
本鍵盤装置は略５オクターブの音域を有し、取付用ボス２２は、複数個（例えば９個）が鍵並び方向に均等配置されている。
【００３８】
図４に示すように、発光ユニット３０は、取付基板３１（発光部取付基板）、ＬＥＤ３３、コネクタ３４及び集光部ユニット３７で構成される。発光ユニット３０は、低音側用と高音側用とに２分割されて構成され、２つの発光ユニット３０で略全鍵幅を有する。両発光ユニット３０は基本的には左右略対称に同様に構成される。図４は右側の発光ユニット３０を示している。
【００３９】
コネクタ３４は、右側の取付基板３１に取り付けられ、スイッチ基板１２と発光ユニット３０とをフラットケーブル２５（図１参照）を介して電気的に接続する。集光部ユニット３７は合成樹脂で構成され、穴３６が取付用ボス２２に対応する位置に複数設けられている。また、集光部ユニット３７の下面には、取付基板３１との位置関係を規定する位置決め用突起３５が複数突設されている。取付基板３１には、位置決め用突起３５に対応する位置に不図示の穴が設けられている。ＬＥＤ３３は、各白鍵２に対応して取付基板３１上に取り付けられる。
【００４０】
一方、集光部ユニット３７には、各白鍵２に対応して集光部３２が設けられている。集光部３２は、ＬＥＤ３３を囲むようにして集光部ユニット３７と一体に形成されている。なお、集光部ユニット３７は、ベース部分が全長に亘って断面くの字状に形成されており、剛性が高められている。
【００４１】
発光ユニット３０を下ケース２０に取り付ける際には、まず、集光部ユニット３７の位置決め用突起３５を、取付基板３１の対応する上記不図示の穴を貫通させることで、集光部ユニット３７及び取付基板３１のアッセンブリを得る。そして、集光部ユニット３７及び取付基板３１を一緒に穴３６を介してネジ４０によって取付用ボス２２にネジ止めすることで共締めする。これにより、発光ユニット３０が取付用ボス２２に取り付けられる。白鍵２を効率良く照射するために、ＬＥＤ３３は、発光ユニット３０の取り付け後において、目隠し板２１の上端に対して同高以上に位置するように設定されている（図２、図６参照）。
【００４２】
発光ユニット３０は、目隠し板２１と口棒部２０Ａとの間において口棒部２０Ａに近接して配設され、しかも発光ユニット３０は略全鍵幅に亘って設けられるので、口棒部２０Ａの剛性維持機能と相まって、下ケース２０の剛性を向上している。
【００４３】
図５は、集光部３２及びその近傍を右側からみた側面図である。同図（ａ）は最低音鍵と最高音鍵とを除く白鍵（以下、「中間鍵」と称する）用の集光部３２、同図（ｂ）は最高音鍵用の集光部３２をそれぞれ示す。
【００４４】
図４（ａ）に示すように、集光部３２は上方からみてＬＥＤ３３を囲む矩形の壁で構成されている。中間鍵用の集光部３２は、図５（ａ）に示すように、その上端部が後方にいくにつれて下方に傾斜するように切り欠かれており、傾斜部３２ａが形成されている。図２に示すように、集光部３２の前方壁３２Ｆ（前部）は白鍵２の操作部２ｃの下部に比較的近接しており、ＬＥＤ３３からの照射光による白鍵２の照射範囲の前端位置を、操作部２ｃにおける位置Ｐに規制する。これにより、鍵の操作部２ｃにおいて照射されている部分とそうでない部分との境目が位置Ｐで明確となり、発光に対応する白鍵２が明確に視認される。また、奏者からみて、ＬＥＤ３３が前方壁３２Ｆによって隠れるようになっており、奏者からの見栄えの悪化が防止されている。
【００４５】
さらに、上端部が傾斜して切り欠かれた結果、集光部３２の後方壁３２Ｂは、高さが低くなっており、図２のＹ方向から覗いたとしても、奏者からは前方壁３２Ｆに隠れて見えないようになっている。これにより、集光部３２の内部自体が隠れるので、目障りな感じが全くない。特に、上述したように本装置ではキーガイドを設けていないが、大多数の製品がキーガイドを有していることから、各集光部３２の前方壁３２Ｆが、見ようによっては各白鍵２毎のキーガイドであるかのように認識されるので、違和感がなく、デザイン的に悪影響を与えていない。
【００４６】
一方、図５（ｂ）に示すように、最高音鍵用の集光部３２は、上端部を切り欠き形成する際、右方壁３２Ｒだけを残して切り欠かれる。従って、右方壁３２Ｒを除く壁の上部は傾斜部３２ａを構成するが、右方壁３２Ｒだけはそのまま残っている。前方壁３２Ｆ、後方壁３２Ｂは、中間鍵用の集光部３２のものと同様の構成となっている。右方壁３２Ｒにより、装置の右方からみた場合にＬＥＤ３３が隠れて見えないようになっており、装置右方向からの見栄えの悪化が防止されている。
【００４７】
なお、最低音鍵用の集光部３２は、最高音鍵用の集光部３２と左右対称に構成される（図４（ａ））。すなわち、上端部を切り欠き形成する際、左方壁３２Ｌだけを残して切り欠かれ、左方壁３２Ｌにより、装置の左方からみた場合にＬＥＤ３３が隠れて見えないようになっており、装置左方向からの見栄えの悪化が防止される。
【００４８】
なお、ＬＥＤ３３、２４は、各種モードに応じて発光するようになっており、例えば、押鍵操作に対応して発光するモードでは、押鍵操作した鍵の視認を容易にし、また、楽曲データに基づく演奏ガイドモードでは、曲の進行に従って発光し、操作すべき鍵を順次認識させる。
【００４９】
ところで、本実施の形態では、鍵発光機能を有する機種を前提に説明したが、鍵発光機能を有しない機種では当然にＬＥＤ３３等をはじめとする発光ユニット３０は不要となる。従って、鍵発光機能を有しない機種については、取付用ボス２２に発光ユニット３０を取り付けないようにすれば、下ケース２０を共用することができる。
【００５０】
すなわち、発光ユニット３０を取り付けた場合は、取付用ボス２２が口棒部２０Ａより後方に配設されていることから、口棒部２０Ａによって集光部３２が目立たず、外観が損なわれない。一方、発光ユニット３０を取り付けない場合でも、目隠し板２１により鍵盤装置の内部が奏者側から略目隠しされて装置内部が隠れ、しかも取付用ボス２２も口棒部２０Ａがあることで目立たないので外観が損なわれない。従って、発光ユニット３０を設けない機種でも、特に手当しなくても下ケース２０をそのまま利用することができ、金型共用によるコスト削減等の効果が期待できる。
【００５１】
なお、発光ユニット３０を設けない機種用に、下ケース２０は、取付用ボス２２に、発光ユニット３０に代えて不図示の目隠し板や目隠し栓をネジで取り付け可能に構成されている。目隠し板等を取り付けることで、取付用ボス２２が隠れ、見栄えが一層向上すると共に、取付用ボス２２への異物混入を防ぐことができる。それだけでなく、例えば、目隠し板を全鍵幅に亘って形成すれば、下ケース２０の前部の剛性を高めることにも寄与する。
【００５２】
次に、本鍵盤装置における鍵装着動作を、図２、図６〜図８を用いて説明する。
【００５３】
図６〜図８は、本実施の形態に係る鍵盤装置の鍵装着動作の手順を示す縦断面図である。
【００５４】
まず、図６に示すように、作業者は、スイッチ基板１２の前端部と目隠し板２１との間に被ガイド片７、８が挿入されるように、鍵ユニット１を下ケース２０の上方から降ろしていく。そして、図７に示すように、鍵ユニット１を下ケース２０上に載置する。この時点では、白鍵２の白鍵前端部下部２ｂが口棒部２０Ａの上面２０Ａａに当接すると共に、鍵ユニット１のヒンジ部４の当接部２３がガイドリブ１６の上面に当接している。また、上述したように、白鍵２の操作部２ｃは断面コ字状となっているので、各集光部３２は対応する白鍵２の操作部２ｃに遊嵌し、干渉が回避されている。
【００５５】
次に、鍵ユニット１を後方に押すと、図８に示すように白鍵前端部下部２ｂが口棒部２０Ａの上面２０Ａａをスライドすると共に、ヒンジ部４の当接部２３ががガイドリブ１６の上面をスライドする。この時点までは、白鍵アクチュエータ２ａ及び黒鍵アクチュエータ３ａは、鍵スイッチ１４の弾性膨出部１４ａに当接しない。
【００５６】
鍵ユニット１をさらに後方に移動させ、当接部２３がガイドリブ１６の上面後端を経過すると、鍵ユニット１の自重により鍵ユニット１の前半部が下降する。それに伴い各鍵アクチュエータ２ａ、３ａが弾性膨出部１４ａに当接する。その後、鍵ユニット１は、自重によるバランスの崩れから弾性膨出部１４ａを支点として後方（図８の時計方向）に回転する。鍵ユニット１が回転すると、白鍵前端部下部２ｂが口棒部２０Ａの上面２０Ａａから離間すると共に、共通基端部５が下ケース後部２０Ｄに近接するので、ここで共通基端部５近傍を上方から押圧すると、図２に示すように、共通基端部５が前レール部２０ｆ及び後レール部２０ｇ間に挟入嵌合される。その際、ガイドリブ１６は黒鍵３の凹部３ｄに収容されと共に、被ガイド片７、８が上限ストッパ部材１３に当接する。さらにこれに伴い、弾性片６が下ケース後部２０Ｄ側の上記した不図示のつめ用孔に挿入され、つめ６ａが該つめ用孔に係止される。
【００５７】
このような動作により、各鍵アクチュエータ２ａ、３ａが弾性膨出部１４ａにほぼ真上から当接する。次いで、鍵ユニット１を前レール部２０ｆ及び後レール部２０ｇに沿って鍵並び方向にスライドさせ、鍵並び方向の位置を適当に決定した上で、孔１９（図１参照）を介して共通基端部５を下ケース後部２０Ｄにネジ止めすることにより、鍵ユニット１の下ケース２０への装着が完了する。
【００５８】
本実施の形態によれば、発光ユニット３０を口棒部２０Ａに近接して略全鍵幅に亘って配設したので、発光ユニット３０が、鍵照射機能だけでなく、口棒部２０Ａと共に下ケース２０の補強としての機能をも果たす。しかも、発光ユニット３０は、前後方向における押鍵ストッパ１１と口棒部２０Ａとの間、特に目隠し板２１と口棒部２０Ａとの間において配設されたので、口棒部２０Ａの上面２０Ａａに配設する場合等に比し、空いたスペースが有効に利用される。よって、簡単な構成、低コストで、省スペースを図りつつ下ケースの剛性を向上することができる。
【００５９】
また、鍵ユニット１を後方へスライドさせて下ケース２０に装着する際に、口棒部２０Ａの上面２０Ａａとガイドリブ１６とによって、鍵ユニット１が鍵スイッチ１４の弾性膨出部１４ａに接触しないように鍵ユニット１が案内される際に、発光ユニット３０の各集光部３２は鍵ユニット１に干渉しないような位置に配設され、特に、各集光部３２が対応する白鍵２の操作部２ｃに遊嵌して干渉が回避されるようにしたので、集光部３２乃至ＬＥＤ３３が鍵装着の邪魔になることがなく、スライドによる鍵ユニット１の装着を円滑に行うことができる。
【００６０】
また、下ケース２０に発光ユニット３０を設ける場合だけでなく、設けない場合でも、特に手当することなく見栄えが確保されるので、鍵発光機能を有する／有しない機種間で下ケース２０を事実上共用可能にすることができる。よって、金型共用によるコスト削減等の効果が得られる。
【００６１】
本実施の形態によればまた、集光部３２の前方壁３２Ｆにより、ＬＥＤ３３からの照射光による白鍵２の照射範囲の前端位置が位置Ｐに規制されると共に、奏者からみて、ＬＥＤ３３が隠れるようにしたので、少ない光量で、発光による鍵の視認性を向上させると共に、ＬＥＤ３３を目立ちにくくして装置の前方からの外観の悪化を防止することができる。さらに、集光部３２の後方壁３２Ｂは、前方壁３２Ｆに隠れて見えないようになっているので、前方からの外観を一層向上することができる。また、最低音鍵用の集光部３２の左方壁３２Ｌと最高音鍵用の集光部３２の右方壁３２Ｒとにより、装置の左方、右方からみた場合にＬＥＤ３３が隠れて見えないようにしたので、装置左右方向からの見栄えの悪化も防止することができる。
【００６２】
しかも、集光部３２の各壁の高さ等、集光部３２の上端部の形状は切り欠きにより形成されるので、製造が容易である。特に最低音鍵用、最高音鍵用の各集光部３２では、左方壁３２Ｌ、右方壁３２Ｒをそれぞれ残して切り欠き形成することで、その他の前方壁３２Ｆ、後方壁３２Ｂ等と同時に形成され得るので、簡単に製造することができる。なお、集光部３２の周囲の各壁は、切り欠き形成によらず、独立して突設する等して構成してもよい。
【００６３】
また、取付基板３１と集光部ユニット３７とをアッセンブルして取付用ボス２２に取り付けるようにしたので、構成及び取付作業を簡単にすると共に、コストを削減することができる。
【００６４】
なお、本実施の形態では、発光ユニット３０は２分割して構成したが、下ケース２０ｂの剛性向上の観点からは、１つの発光ユニット３０が少なくとも略１オクターブ幅以上に亘る長さを有するように構成すれば例示の構成に限定されない。なお、剛性向上にはならないが、各集光部３２及びＬＥＤ３３は、各鍵毎にばらばらに構成してもよい。
【００６５】
【発明の効果】
以上説明したように、本発明の請求項１によれば、少ない光量で、発光による鍵の視認性を向上させると共に、発光部を目立ちにくくして装置の外観の悪化を防止することができる。
【００６６】
また、請求項２によれば、装置左右方向からの見栄えの悪化を防止することができる。
【００６７】
本発明の請求項３によれば、簡単な構成にて、少ない光量で、発光による鍵の視認性を向上させると共に、発光部を目立ちにくくして装置の外観の悪化を防止することができる。
【図面の簡単な説明】
【図１】  本実施の形態に係る鍵盤装置の構成を示す部分平面図である。
【図２】  図１のＡ−Ａ線に沿う断面図である。
【図３】  本装置の部分正面図である。
【図４】  発光ユニットの部分平面図（同図（ａ））及び部分正面図（同図（ｂ））である。
【図５】  集光部及びその近傍を右側からみた側面図である。
【図６】  本装置の鍵装着動作の手順を示す縦断面図である。
【図７】  本装置の鍵装着動作の手順を示す縦断面図である。
【図８】  本装置の鍵装着動作の手順を示す縦断面図である。
【符号の説明】
１  鍵ユニット（鍵盤）、  ２  白鍵、  ３  黒鍵、  ２ｃ、３ｃ  操作部、５  共通基端部、  ２０  下ケース（支持フレーム）、  ２０Ａ  口棒部（目隠し部）、  ３０  発光ユニット、  ３１  取付基板（発光部取付基板）、  ３２  集光部、  ３２Ｆ  前方壁（前部）、  ３２Ｌ  左方壁、  ３２Ｒ  右方壁、  ３３  ＬＥＤ（発光部）、  ３７  集光部ユニット
【図１】
0003743331.tif 000002
【図２】
0003743331.tif 000003
【図３】
0003743331.tif 000004
【図４】
0003743331.tif 000005
【図５】
0003743331.tif 000006
【図６】
0003743331.tif 000007
【図７】
0003743331.tif 000008
【図８】
0003743331.tif 000009